(57)【要約】【課題】受付画像に対応する電子データを特定できる確率を高くできる電子データ検索システム、端末装置、電子データ検索方法、電子データ検索要求方法およびプログラムを提供する。【解決手段】電子データ検索システムは、文字列データを有する電子データを格納する格納手段と、画像を受け付け当該画像に含まれる文字列を検索用文字列データに変換する変換手段と、格納手段内の電子データから、検索用文字列データに該当する文字列データを有する該当電子データを検索する検索手段と、を含む。【選択図】図１
2013016129.tif 000002
【特許請求の範囲】
【請求項１】
文字列データを有する電子データを格納する格納手段と、
画像を受け付け、当該画像に含まれる文字列を検索用文字列データに変換する変換手段と、
前記格納手段内の電子データから、前記検索用文字列データに該当する文字列データを有する該当電子データを検索する検索手段と、を含む電子データ検索システム。
【請求項２】
請求項１に記載の電子データ検索システムにおいて、
前記検索手段は、前記検索用文字列データの一部を検索キーとして用いて、前記該当電子データを検索する、電子データ検索システム。
【請求項３】
請求項１または２に記載の電子データ検索システムにおいて、
前記変換手段は、端末装置から送信された撮影画像を前記画像として受け付け、
前記検索手段は、前記検索の結果を前記端末装置に送信する、電子データ検索システム。
【請求項４】
請求項３に記載の電子データ検索システムにおいて、
前記変換手段は、前記撮影画像に、検索の実行を指示する旨の検索実行指示が付加されている場合に、当該撮影画像に含まれる文字列を前記検索用文字列データに変換する、電子書類検索システム。
【請求項５】
撮影画像を出力する撮影手段と、
前記撮影画像に、検索の実行を指示する旨の検索実行指示を付加する付加手段と、
前記検索実行指示が付加された撮影画像を送信先に送信する通信手段と、を含む端末装置。
【請求項６】
請求項５に記載の端末装置において、
表示手段をさらに含み、
前記通信手段は、前記検索実行指示が付加された撮影画像を、前記送信先としての請求項４に記載の電子データ検索システムに送信し、さらに、前記電子データ検索システムから送信された検索の結果を受信し、
前記表示手段は、前記通信手段が前記検索の結果を受信した場合に、前記検索の結果に応じた画面を表示する、端末装置。
【請求項７】
電子データ検索システムでの電子データ検索方法であって、
文字列データを有する電子データを格納手段に格納する格納ステップと、
画像を受け付け、当該画像に含まれる文字列を検索用文字列データに変換する変換ステップと、
前記格納手段内の電子データから、前記検索用文字列データに該当する文字列データを有する該当電子データを検索する検索ステップと、を含む電子データ検索方法。
【請求項８】
端末装置での電子データ検索要求方法であって、
撮影画像を出力する出力ステップと、
前記撮影画像に、検索の実行を指示する旨の検索実行指示を付加する付加ステップ、
前記検索実行指示が付加された撮影画像を送信先に送信する送信ステップと、を含む電子データ検索要求方法。
【請求項９】
撮影画像を出力する撮影手段と接続したコンピュータに、
前記撮影画像に、検索の実行を指示する旨の検索実行指示を付加する付加手順と、
前記検索実行指示が付加された撮影画像を送信先に送信する送信手順と、を実行させるためのプログラム。
【発明の詳細な説明】
【技術分野】
【０００１】
本発明は、電子データ検索システム、端末装置、電子データ検索方法、電子データ検索要求方法およびプログラムに関し、例えば、端末装置からの検索要求に応じて電子書籍等の電子データを検索する電子データ検索システム、端末装置、電子データ検索方法、電子データ検索要求方法およびプログラムに関する。
【背景技術】
【０００２】
特許文献１には、カメラ等の画像補足装置から問い合わせ画像を受け付け、問い合わせ画像をデータベース内の電子書籍の画像と比較し、その比較結果に基づいて、問い合わせ画像に対応する電子書籍を特定し、特定された電子書籍を出力する特徴量抽出及び認証システムが記載されている。
【先行技術文献】
【特許文献】
【０００３】
【特許文献１】特開２００９−２０８９０号公報
【発明の概要】
【発明が解決しようとする課題】
【０００４】
特許文献１に記載の特徴量抽出及び認証システムは、画像ベースで、問い合わせ画像とデータベース内の電子書籍の画像とを比較する。
【０００５】
このため、例えば、問い合わせ画像が「Ａ」というタイトルの書籍（以下「書籍Ａ−１」と称する）の一部を表し、データベース内に同じく「Ａ」というタイトルの書籍（以下「書籍Ａ−２」と称する）の画像が存在する状況でも、書籍Ａ−１での文字の配置が、書籍Ａ−２での文字の配置と異なっている場合、問い合わせ画像とデータベース内の書籍Ａ−２の画像とが異なってしまう。
【０００６】
なお、書籍Ａ−１での文字の配置が書籍Ａ−２での文字の配置と異なっている場合の例としては、文庫判や新書判などの書籍のサイズ（判型）等の違いにて書籍Ａ−１での文字の大きさと書籍Ａ−２での文字の大きさが異なり、文字の大きさに違いに伴って、書籍Ａ−１での１ページの行数および１行の文字数と、書籍Ａ−２での１ページの行数および１行の文字数が異なり、その結果、書籍Ａ−１での文字の配置が書籍Ａ−２での文字の配置と異なる場合がある。
【０００７】
書籍Ａ−１に関する問い合わせ画像とデータベース内の書籍Ａ−２の画像とが異なっていると、特許文献１に記載の特徴量抽出及び認証システムは、問い合わせ画像に対応する電子書籍Ａ−２を特定できなくなる。このため、問い合わせ画像等の受付画像に対応する電子データを特定できる確率を高くする手法が望まれるという課題があった。
【０００８】
本発明の目的は、上述した課題を解決可能な電子データ検索システム、端末装置、電子データ検索方法、電子データ検索要求方法およびプログラムを提供することである。
【課題を解決するための手段】
【０００９】
本発明の電子データ検索システムは、文字列データを有する電子データを格納する格納手段と、
画像を受け付け、当該画像に含まれる文字列を検索用文字列データに変換する変換手段と、
前記格納手段内の電子データから、前記検索用文字列データに該当する文字列データを有する該当電子データを検索する検索手段と、を含む。
【００１０】
本発明の端末装置は、撮影画像を出力する撮影手段と、
前記撮影画像に、検索の実行を指示する旨の検索実行指示を付加する付加手段と、
前記検索実行指示が付加された撮影画像を送信先に送信する通信手段と、を含む端末装置。
【００１１】
本発明の電子データ検索方法は、電子データ検索システムでの電子データ検索方法であって、
文字列データを有する電子データを格納手段に格納する格納ステップと、
画像を受け付け、当該画像に含まれる文字列を検索用文字列データに変換する変換ステップと、
前記格納手段内の電子データから、前記検索用文字列データに該当する文字列データを有する該当電子データを検索する検索ステップと、を含む。
【００１２】
本発明の電子データ検索要求方法は、  端末装置での電子データ検索要求方法であって、
撮影画像を出力する出力ステップと、
前記撮影画像に、検索の実行を指示する旨の検索実行指示を付加する付加ステップ、
前記検索実行指示が付加された撮影画像を送信先に送信する送信ステップと、を含む。
【００１３】
本発明のプログラムは、撮影画像を出力する撮影手段と接続したコンピュータに、
前記撮影画像に、検索の実行を指示する旨の検索実行指示を付加する付加手順と、
前記検索実行指示が付加された撮影画像を送信先に送信する送信手順と、を実行させる。
【発明の効果】
【００１４】
本発明によれば、受付画像に対応する電子データを特定できる確率を高くすることが可能になる。
【図面の簡単な説明】
【００１５】
【図１】本発明の一実施形態の携帯電話端末１および電子データ検索システム２を示したブロック図である。
【図２】携帯電話端末１の動作を説明するためのフローチャートである。
【図３】電子データ検索システム２の動作を説明するためのフローチャートである。
【図４】データベースサーバ２１と文字認識部２２ａと検索処理部２２ｂとからなる電子データ検索システムを示した図である。
【発明を実施するための形態】
【００１６】
以下、本発明の実施形態を図面を参照して説明する。
【００１７】
図１は、本発明の一実施形態の携帯電話端末１および電子データ検索システム２を示したブロック図である。
【００１８】
携帯電話端末１は、端末装置の一例である。なお、端末装置は、携帯電話端末に限らず、スマートフォン、携帯型ゲーム機、タブレット型ＰＣ（Personal Computer）、または、ノート型ＰＣでもよい。
【００１９】
携帯電話端末１は、カメラ１１と、入力部１２と、制御部１３と、通信部１４と、表示部１５と、を含む。
【００２０】
カメラ１１は、撮影手段の一例である。
【００２１】
カメラ１１は、撮影画像を出力する。以下では、携帯電話端末１のユーザが、カメラ１１で書籍３内の本文の一部である文字列３ａを撮影し、それに伴い、カメラ１１が文字列３ａを表す撮影画像を出力する例を説明する。
【００２２】
入力部１２は、携帯電話端末１のユーザの種々の入力を受け付ける。
【００２３】
制御部１３は、付加手段の一例である。
【００２４】
制御部１３は、カメラ１１が出力した撮影画像に、検索の実行を指示する旨の検索実行指示を付加する。
【００２５】
制御部１３は、画像メモリ１３ａと、画像処理部１３ｂと、指示付加部１３ｃと、を含む。
【００２６】
画像メモリ１３ａは、撮影画像を格納する。
【００２７】
画像処理部１３ｂは、画像メモリ１３ａ内の撮影画像を読み出し、読み出された撮影画像に対して、公知のホワイトバランス調整などの画像処理を実行する。
【００２８】
指示付加部１３ｃは、画像処理が実行された撮像画像に、検索実行指示を付加する。
【００２９】
通信部１４は、通信手段の一例である。
【００３０】
通信部１４は、検索実行指示が付加された撮影画像を、送信先である電子データ検索システム２に送信する。また、通信部１４は、検索実行指示が付加された撮影画像に応じて電子データ検索システム２から送信された情報（検索結果）を受信する。
【００３１】
表示部１５は、表示手段の一例である。
【００３２】
表示部１５は、種々の表示を実行する。例えば、表示部１５は、撮影画像を表示したり、通信部１４が電子データ検索システム２から送信された情報（検索結果）を受信した場合に、その情報（検索結果）に応じた画面を表示したりする。
【００３３】
電子データ検索システム２は、データベースサーバ２１と、検索サーバ２２と、を含む。
【００３４】
データベースサーバ２１は、格納手段の一例である。
【００３５】
データベースサーバ２１は、複数の電子書籍データ２１ａ１〜２１ａｎ（ｎは１以上の整数）を有する電子書籍データベース２１ｂを格納する。
【００３６】
電子書籍データ２１ａ１〜２１ａｎは、電子データの一例である。
【００３７】
電子書籍データ２１ａ１〜２１ａｎは、テキスト文章を有する。このテキスト文章は、書籍の内容（本文）と書籍のタイトルとを表す文字列データを有する。書籍の内容（本文）を表す文字列データを構成する文字データには、その文字データが存在する電子書籍上のページの番号が関連づけられている。
【００３８】
検索サーバ２２は、文字認識部２２ａと、検索処理部２２ｂと、を含む。
【００３９】
文字認識部２２ａは、変換手段の一例である。
【００４０】
文字認識部２２ａは、携帯電話端末１から送信された検索実行指示付きの撮影画像を受け付け、その撮影画像に含まれる文字列を検索用文字列データに変換する。
【００４１】
本実施形態では、文字認識部２２ａは、撮影画像に検索実行指示が付加されている場合に、撮影画像に含まれる文字列を検索用文字列データに変換する。
【００４２】
なお、文字認識部２２ａは、撮影画像に検索実行指示が付加されていない場合には、撮影画像に含まれる文字列を検索用文字列データに変換せず、検索実行指示が付加されていない旨の返信指示を検索処理部２２ｂに出力する。
【００４３】
検索処理部２２ｂは、検索手段の一例である。
【００４４】
検索処理部２２ｂは、データベースサーバ２１内の電子書籍データ２１ａ１〜２１ａｎから、検索用文字列データに該当する文字列データを有する電子書籍データ（以下「該当電子書籍データ」と称する）を検索する。なお、該当電子書籍データは、該当電子データの一例である。
【００４５】
検索処理部２２ｂは、検索の結果を、検索実行指示付きの撮影画像の送信元である携帯電話端末１に送信する。
【００４６】
本実施形態では、検索処理部２２ｂは、該当電子書籍データが存在する場合には、該当電子書籍データのタイトルと、検索用文字列データが存在する該当電子書籍データ上のページ位置（ページ番号）と、を表す検索結果を、携帯電話端末１に送信する。
【００４７】
一方、該当電子書籍データが存在しない場合には、検索処理部２２ｂは、該当電子書籍データが存在しない旨を表す検索結果を、携帯電話端末１に送信する。
【００４８】
また、検索処理部２２ｂは、文字認識部２２ａから返信指示を受け付けた場合には、検索を利用できない旨を表す検索結果を、携帯電話端末１に送信する。
【００４９】
次に、動作を説明する。
【００５０】
まず、携帯電話端末１の動作を説明する。図２は、携帯電話端末１の動作を説明するためのフローチャートである。
【００５１】
携帯電話端末１のユーザが、検索したい書籍３内の文字列３ａ（例えば、７文字×７文字）をカメラ１１で撮影すると、カメラ１１は、文字列３ａを表す撮影画像を生成し（ステップＡ１）、撮影画像を画像メモリ１３ａに格納する（ステップＡ２）。
【００５２】
続いて、携帯電話端末１のユーザが、撮影画像を電子データ検索システム２に送信する旨の送信指示を入力部１２に入力すると、入力部１２は、送信指示を受け付け（ステップＡ３）、送信指示を画像処理部１３ｂに出力する。
【００５３】
画像処理部１３ｂは、送信指示を受け付けると、画像メモリ１３ａ内の撮影画像を読み出し、読み出された撮影画像に対して、ホワイトバランス調整などの画像処理を実行し（ステップＡ４）、画像処理が実行された撮影画像を、指示部付加部１３ｃに出力する。
【００５４】
指示部付加部１３ｃは、画像処理が実行された撮影画像を受け付けると、その撮像画像に、検索実行指示を付加し（ステップＡ５）、検索実行指示が付加された撮像画像を通信部１４に出力する。
【００５５】
通信部１４は、検索実行指示が付加された撮像画像を受け付けると、その撮影画像を電子データ検索システム２に送信する（ステップＡ６）。
【００５６】
その後、通信部１４は、電子データ検索システム２の検索結果を受信するまで待つ（ステップＡ７）。
【００５７】
通信部１４は、電子データ検索システム２の検索結果を受信すると（ステップＡ７）、検索結果を表示部１５に出力する。
【００５８】
表示部１５は、検索結果を受け付けると、その検索結果に応じた画面を表示する（ステップＡ８）。
【００５９】
例えば、検索結果が、電子書籍のタイトルと、電子書籍上のページ位置（ページ番号）と、を表す場合には、表示部１５は、電子書籍のタイトルと、電子書籍上のページ位置（ページ番号）と、を表す画面を表示する。
【００６０】
また、検索結果が、該当電子書籍データが存在しない旨を表す場合には、表示部１５は、該当電子書籍データが存在しない旨を表す画面を表示する。
【００６１】
また、検索結果が、検索を利用できない旨を表す場合には、表示部１５は、検索を利用できない旨を表す画面を表示する。
【００６２】
次に、電子データ検索システム２の動作を説明する。図３は、電子データ検索システム２の動作を説明するためのフローチャートである。
【００６３】
電子データ検索システム２では、文字認識部２２ａは、携帯電話端末１から送信された撮影画像を受信するまで待つ（ステップＢ１）。
【００６４】
文字認識部２２ａは、撮影画像を受信すると（ステップＢ１）、その撮影画像に検索実行指示が付加されているかを判断する（ステップＢ２）。
【００６５】
撮影画像に検索実行指示が付加されている場合には、文字認識部２２ａは、その撮影画像に含まれる文字列を検索用文字列データに変換し（ステップＢ３）、検索用文字列データを検索処理部２２ｂに出力する。
【００６６】
検索処理部２２ｂは、検索用文字列データを受け付けると、電子書籍データベース２１ｂ内の電子書籍データのうち、その検索用文字列データを用いた検索が行われていない１つの電子書籍データを、検索対象書籍データに設定する（ステップＢ４）。
【００６７】
続いて、検索処理部２２ｂは、検索用文字列データを複数に分割して複数の文字列データ検索キーを作成する（ステップＢ５）。
【００６８】
続いて、検索処理部２２ｂは、検索対象書籍データから、検索用文字列データにおいて先頭となる文字列データ検索キーを検索する（ステップＢ６）。
【００６９】
検索対象書籍データが、検索に用いられた文字列データ検索キーに該当する文字列データ（以下「該当文字列データ」と称する）を有していると（ステップＢ７）、検索処理部２２ｂは、検索対象書籍データのうち、該当文字列データ以降の文字列データを検索対象にして、検索に用いられた文字列データ検索キーの次の文字列データ検索キーを検索する（ステップＢ８）。
【００７０】
ステップＢ８での検索にて、検索対象書籍データが該当文字列データを有していると（ステップＢ９）、検索処理部２２ｂは、ステップＢ８での検索に用いられた文字列データ検索キーが、検索用文字列データにおいて最後となる文字列データ検索キーであるかを判断する（ステップＢ１０）。
【００７１】
ステップＢ８での検索に用いられた文字列データ検索キーが最後の文字列データ検索キーであると、検索処理部２２ｂは、検索対象書籍データが該当電子書籍データであると判断し、該当電子書籍データを参照し、該当電子書籍データのタイトルと、検索用文字列データが存在する該当電子書籍データ上のページ位置（ページ番号）と、を表す検索結果を作成し、その検索結果を携帯電話端末１に送信する（ステップＢ１１）。
【００７２】
なお、ステップＢ１０において、ステップＢ８での検索に用いられた文字列データ検索キーが最後の文字列データ検索キーでないと、検索処理部２２ｂは、処理をステップＢ８に戻す。
【００７３】
また、ステップＢ９において該当文字列データがないと、検索処理部２２ｂは、処理をステップＢ４に戻す。
【００７４】
また、ステップＢ７において該当文字列データがないと、検索処理部２２ｂは、電子書籍データベース２１ｂ内のすべての電子書籍データについて検索が完了しているかを判断する（ステップＢ１２）。
【００７５】
ステップＢ１２において電子書籍データベース２１ｂ内のすべての電子書籍データについて検索が完了していない場合には、検索処理部２２ｂは、処理をステップＢ４に戻す。
【００７６】
一方、ステップＢ１２において電子書籍データベース２１ｂ内のすべての電子書籍データについて検索が完了している場合には、検索処理部２２ｂは、該当電子書籍データが存在しない旨を表す検索結果を、携帯電話端末１に送信する（ステップＢ１３）。
【００７７】
また、ステップＢ２において撮影画像に検索実行指示が付加されていないと、文字認識部２２ａは、撮影画像に含まれる文字列を検索用文字列データに変換せず、検索実行指示が付加されていない旨の返信指示と撮影画像の送信元の情報とを検索処理部２２ｂに出力する。検索処理部２２ｂは、返信指示と撮影画像の送信元の情報とを受け付けると、検索を利用できない旨を表す検索結果を、撮影画像の送信元に送信する（ステップＢ１４）。
【００７８】
次に、本実施形態の効果を説明する。
【００７９】
本実施形態の電子データ検索システム２によれば、データベースサーバ２１は、文字列データを有する電子書籍データを格納する。文字認識部２２ａは、画像を受け付け、その画像に含まれる文字列を検索用文字列データに変換する。検索処理部２２ｂは、データベースサーバ２１内の電子書籍データから、検索用文字列データに該当する文字列データを有する該当電子書籍データを検索する。
【００８０】
検索処理部２２ｂは、画像ベースで該当電子書籍データを検索するのではなく、文字列データを用いて該当電子書籍データを検索する。このため、例えば、文字認識部２２ａが受け付けた画像が表す書籍での文字の配置と、その書籍に対応する電子書籍データでの文字の配置が異なっていても、文字列データは変わらないので、その画像に対応する該当電子書籍データを特定できる確率を高くすることが可能になる。なお、この効果は、データベースサーバ２１と文字認識部２２ａと検索処理部２２ｂとからなる電子データ検索システムでも奏する。図４は、データベースサーバ２１と文字認識部２２ａと検索処理部２２ｂとからなる電子データ検索システムを示した図である。
【００８１】
また、本実施形態では、文字認識部２２ａは、携帯電話端末１から送信された撮影画像を受け付け、検索処理部２２ｂは、検索の結果を携帯電話端末１に送信する。このため、電子データ検索システム２は、携帯電話端末１からの撮影画像に対応する電子書籍データを画像ベースで比較して特定する場合に比べて、携帯電話端末１からの撮影画像に対応する電子書籍データを高い確率で特定でき、その結果を携帯電話端末１に通知することが可能になる。
【００８２】
また、本実施形態では、文字認識部２２ａは、撮影画像に検索実行指示が付加されている場合に、その撮影画像に含まれる文字列を検索用文字列データに変換する。このため、電子データ検索システム２は、撮影画像に対応する電子書籍データを検索するサービス（以下、単に「サービス」と称する）を、検索実行指示が付加された撮影画像を送信可能な端末装置に対してのみ実行することが可能になる。このため、電子データ検索システム２は、サービスが提供される端末装置を特定するための情報（例えば、端末装置のＩＤ）を保持することなく、そのサービスの提供先を判別することが可能になる。
【００８３】
また、本実施形態の携帯電話端末１では、カメラ１１は、撮影画像を出力する。制御部１３は、撮影画像に検索実行指示を付加する。通信部１４は、検索実行指示が付加された撮影画像を送信先に送信する。このため、携帯電話端末１は、検索実行指示が付加された撮影画像を送信できない端末装置が受けることができない電子データ検索システム２のサービスを受けることが可能になる。
【００８４】
また、本実施形態では、通信部１４は、検索実行指示が付加された撮影画像を電子データ検索システム２に送信し、さらに、電子データ検索システム２から送信された検索結果を受信する。表示部１５は、通信部１４が検索結果を受信した場合に、その検索結果に応じた画面を表示する。このため、電子データ検索システム２の検索結果を表示することが可能になる。
【００８５】
また、本実施形態では、以下の効果も奏する。
【００８６】
実際の本（書籍）でユーザが読んでいるページの電子書籍上での位置を特定することができる。
【００８７】
なお、上記実施形態では、検索処理部２２ｂは、検索用文字列データのすべてを用いて該当電子書籍データを検索したが、検索処理部２２ｂは、検索用文字列データの一部（例えば、複数の文字列データ検索キーからいくつかの文字列データ検索キーを除いたもの）を検索キーとして用いて、該当電子書籍データを検索してもよい。この場合、検索用文字列データのすべてを用いて検索を行う場合に比べて、検索に要する時間を短くすることが可能になる。
【００８８】
また、上記実施形態において、携帯電話端末１のユーザは、カメラ１１で撮影を行う際、文字列３ａが表された書籍のページを、カメラ１１のマクロモードで撮影することで、文字列３ａ内の文字を少なくしてもよい。この場合、電子データ検索システム２内の文字認識部２２ａでの文字認識の精度と速度を上げることが可能になる。
【００８９】
また、上記実施形態では、電子データ検索システム２は、検索実行指示が付加された撮影画像を受け付けたときに、該当電子書籍データを検索する動作を実行したが、電子データ検索システム２は、検索実行指示が付加されていない撮影画像を受け付けたときに、該当電子書籍データを検索する動作を実行してもよい。
【００９０】
この場合、携帯電話端末１では、指示付加部１３ｃが省略され、画像処理部１３ｂは画像データを通信部１４に出力し、通信部１４は、検索実行指示が付加されていない撮影画像を、電子データ検索システム２に出力する。
【００９１】
また、電子データ検索システム２では、文字認識部２２ａは、図３に示したステップＢ１で撮影画像を受信すると、ステップＢ３を実行する。
【００９２】
この場合、電子データ検索システム２は、ステップＢ２を省略するので、処理の簡素化を図ることができる。
【００９３】
また、携帯電話端末１は、撮影画像と共にＩＳＢＮ（International Standard Book Number）コードを電子データ検索システム２に送信し、電子データ検索システム２は、そのＩＳＢＮコードを用いて該当電子書籍データ候補を特定し、該当電子書籍データ候補の中から該当電子書籍データを検索してもよい。
【００９４】
この場合、電子書籍データベース２１ｂ内の電子書籍データの各々がＩＳＢＮコードを有する。携帯電話端末１の入力部１２がＩＳＢＮコードを受け付け、そのＩＳＢＮコードを制御部１３に出力する。制御部１３は、そのＩＳＢＮコードを撮影画像と共に通信部１４に出力する。通信部１４は、ＩＳＢＮコードを撮影画像と共に電子データ検索システム２に送信する。電子データ検索システム２では、文字認識部２２ａは、携帯電話端末１からのＩＳＢＮコードを検索用文字列データと共に検索処理部２２ｂに出力する。検索処理部２２ｂは、そのＩＳＢＮコードを有する電子書籍データを該当電子書籍データ候補として特定し、該当電子書籍データ候補の中から、検索用文字列データを用いて該当電子書籍データを検索する。
【００９５】
この場合、ＩＳＢＮコードを用いて該当電子書籍データ候補を特定できるので、検索の高速化を図ることが可能になる。
【００９６】
また、上記実施形態では、電子データとして、電子書籍データが用いられたが、電子データは、電子書籍データに限らず適宜変更可能であり、例えば、電子論文データまたは電子新聞データでもよい。
【００９７】
また、携帯電話端末１は、カメラ１１と入力部１２と表示部１５が接続されたコンピュータにて実現されてもよい。この場合、このコンピュータは、コンピュータにて読み取り可能なＣＤ−ＲＯＭ（Compact Disk Read Only Memory）のような記録媒体に記録されたプログラムを読込み実行して、制御部１３および通信部１５として機能する。記録媒体は、ＣＤ−ＲＯＭに限らず適宜変更可能である。
【００９８】
また、データベースサーバ２１と検索サーバ２２は、別々の装置でもよいし、１つの装置に内蔵されてもよい。
【００９９】
以上説明した実施形態において、図示した構成は単なる一例であって、本発明はその構成に限定されるものではない。
【符号の説明】
【０１００】
１      携帯電話端末
１１    カメラ
１２    入力部
１３    制御部
１３ａ  画像メモリ
１３ｂ  画像処理部
１３ｃ  指示付加部
１４    通信部
１５    表示部
２      電子データ検索システム
２１    データベースサーバ
２２    検索サーバ
２２ａ  文字認識部
２２ｂ  検索処理部
【図１】
2013016129.tif 000003
【図２】
2013016129.tif 000004
【図３】
2013016129.tif 000005
【図４】
2013016129.tif 000006